(57)【要約】【課題】  印刷機に対して簡単にかつ正確に取り付けることが可能な印刷機用版を提供する。【解決手段】  版2は、長方形状の弾性材料製シート19が円筒状に形成されて両端部が重ね合わされて接合されることにより、円筒状版本体17が構成され、接合部分20の内側に位置するシート19の端部が内側に折り曲げられて、係合部21が形成されており、接合部分20を除く版本体17の外周面の所定箇所に、版部18が設けられているものである。【選択図】  図４
2009285861.tif 000002
【特許請求の範囲】
【請求項１】
長方形状の弾性材料製シートが円筒状に形成されて両端部が重ね合わされて接合されることにより、円筒状版本体が構成され、接合部分の内側に位置するシートの端部が内側に折り曲げられて、係合部が形成されており、接合部分を除く版本体の外周面の所定箇所に、版部が設けられていることを特徴とする印刷機用版。
【請求項２】
６X  係合部の折り曲げ角度が９０度より大きいことを特徴とする請求項１の印刷機用版。
【請求項３】
円筒状の版が装着される版装着装置を備えており、
版が、長方形状の弾性材料製シートが円筒状に形成されて両端部が重ね合わされて接合されることにより、円筒状版本体が構成され、接合部分の内側に位置するシートの端部が内側に折り曲げられて、係合部が形成されており、接合部分を除く版本体の外周面の所定箇所に、版が形成された版部が設けられているものであり、
版装着装置が、版駆動軸に固定状に設けられて外周に版駆動軸の先端側から版が装着される版シリンダ部を備えており、版シリンダ部の外周に、版駆動軸の先端側から版の係合部がはめられる周方向位置決め用みぞと、版の端部が当接する軸方向位置決め用ストッパとが設けられていることを特徴とする印刷機。
【請求項４】
版シリンダ部の内部に、空気供給手段により圧縮空気が供給される空気室が形成されており、版シリンダ部の先端側の外径が、先端に行くにつれて小さくなっており、この外径が小さくなった部分を含む版シリンダ部の外周面の軸方向および周方向の複数箇所に、空気室と連通する空気流出穴が形成されていることを特徴とする請求項３の印刷機。
【請求項５】
版の係合部の折り曲げ角度が９０度より大きく、版シリンダ部が、版本体を構成するシートの係合部のある端部側が回転方向前側となる方向に回転させられることを特徴とする請求項３または４の印刷機。
【発明の詳細な説明】
【技術分野】
【０００１】
この発明は、印刷機用版および印刷機に関する。
【背景技術】
【０００２】
印刷機として、版駆動軸に固定される版シリンダの外周に版が装着されるようになったものが知られている。
【発明の開示】
【発明が解決しようとする課題】
【０００３】
上記のような印刷機では、版駆動軸に固定された状態の版シリンダに、シート状の版を巻き付けて装着することがある。その場合、印刷機内での版の装着作業が面倒で、版シリンダに版を正確に取り付けることが困難である。
【０００４】
これを避けるため、版駆動軸から取り外した状態の版シリンダにシート状の版を巻き付けて装着した後に、版シリンダを版駆動軸に固定することもある。この場合、版シリンダはかなりの重量を有するので、版駆動軸に対する版シリンダの取り外し、取り付け作業が困難である。
【０００５】
この発明の目的は、上記の問題を解決し、印刷機に対して版を簡単にかつ正確に取り付けることを可能にする印刷機用版および印刷機を提供することにある。
【課題を解決するための手段】
【０００６】
この発明による版は、長方形状の弾性材料製シートが円筒状に形成されて両端部が重ね合わされて接合されることにより、円筒状版本体が構成され、接合部分の内側に位置するシートの端部が内側に折り曲げられて、係合部が形成されており、接合部分を除く版本体の外周面の所定箇所に、版部が設けられていることを特徴とするものである。
【０００７】
この明細書において、「版部」という用語は、既に版が形成されている部分（製版済みの部分）および版を形成するための部分であってまだ版が形成されていない部分（製版前の部分）の両方を含む意味で用いられる。
【０００８】
この発明による版は、印刷機の版装着装置に装着されて使用される。たとえば、版装着装置は、版駆動軸に固定状に設けられた版シリンダ部を備えており、版は、この版シリンダ部に一端側からはめられる。版シリンダ部の外周に、一端側から係合部がはめられる周方向位置決め用みぞと、版の端部が当接する軸方向位置決め用ストッパとを設けておけば、版を版シリンダ部の所定位置に正確にかつ簡単に取り付けることができる。また、版シリンダ部の一端側から版を簡単に取り外すことができる。
【０００９】
この発明の版において、好ましくは、係合部の折り曲げ角度が９０度より大きい。
【００１０】
「折り曲げ角度」は、平坦なシートの状態から実際に係合部が折り曲げられた角度である。したがって、係合部と隣接するシートの部分とのなす角度（シート・係合部間角度）は、１８０度から折り曲げ角度を減じた値となる。
【００１１】
係合部の折り曲げ角度を９０度より大きくすると、シート・係合部間角度は９０度より小さくなる。
【００１２】
この場合、版シリンダ部を、版本体を構成するシートの係合部のある端部側が回転方向前側となる方向に回転させるのが好ましい。そうすると、係合部の先端側が回転方向後側を向くことになり、版シリンダが回転すると、係合部がみぞに食い込み、版の位置がずれることがない。
【００１３】
折り曲げ角度は１２５度〜１４５度（シート・係合部間角度は５５度〜３５度）が好ましく、折り曲げ角度は１３５度（シート・係合部間角度は４５度）が最も好ましい。
【００１４】
この発明による印刷機は、円筒状の版が装着される版装着装置を備えており、版が、長方形状の弾性材料製シートが円筒状に形成されて両端部が重ね合わされて接合されることにより、円筒状版本体が構成され、接合部分の内側に位置するシートの端部が内側に折り曲げられて、係合部が形成されており、接合部分を除く版本体の外周面の所定箇所に、版が形成された版部が設けられているものであり、版装着装置が、版駆動軸に固定状に設けられて外周に版駆動軸の先端側から版が装着される版シリンダ部を備えており、版シリンダ部の外周に、版駆動軸の先端側から版の係合部がはめられる周方向位置決め用みぞと、版の端部が当接する軸方向位置決め用ストッパとが設けられていることを特徴とするものである。
【００１５】
この発明の印刷機では、版の係合部が版シリンダ部のみぞにはまるように、版を版シリンダ部の外周に一端部からはめて、版の一端部をストッパに当接させることにより、版を版シリンダ部の所定位置に正確にかつ簡単に取り付けることができる。
【００１６】
この発明の印刷機において、たとえば、版シリンダ部の内部に、空気供給手段により圧縮空気が供給される空気室が形成されており、版シリンダ部の先端側の外径が、先端に行くにつれて小さくなっており、この外径が小さくなった部分を含む版シリンダ部の外周面の軸方向および周方向の複数箇所に、空気室と連通する空気流出穴が形成されている。
【００１７】
版シリンダ部の版が装着される部分の外径は版の内径よりわずかに大きく、版シリンダ部の最先端の外径は版の内径よりわずかに小さい。
【００１８】
版シリンダ部の空気室に圧縮空気が供給されると、空気は、外周面の空気流出穴から外向きに流出する。このような状態で、版シリンダ部の外周面に円筒状の版をはめていくと、流出穴から流出する空気の圧力により版が径方向に膨張して、版の内径が版シリンダ部の外径より大きくなり、版を、その一端がストッパに当接する位置まで、版シリンダ部の外周に簡単にはめることができる。その後、空気室への圧縮空気の供給を停止すると、版が収縮し、版シリンダ部の外周面に密着して、圧入状態に固定される。そして、このように版シリンダ部に版が固定されている状態で、版シリンダ部の空気室に空気が供給されて流出穴から流出させられると、この空気の圧力により版が径方向に膨張して、版の内径が版シリンダ部の外径より大きくなり、版シリンダ部から版を間単に取り外すことができる。
【００１９】
このように、版シリンダ部の空気室に圧縮空気を供給することにより、版シリンダ部に版を簡単にかつ正確に装着して固定し、簡単に取り外すことができる。
【００２０】
上記の印刷機において、たとえば、版の係合部の折り曲げ角度が９０度より大きく、版シリンダ部が、版本体を構成するシートの係合部のある端部側が回転方向前側となる方向に回転させられる。
【００２１】
このようにすると、係合部の先端側が回転方向後側を向くことになり、版シリンダが回転すると、係合部がみぞに食い込み、版の位置がずれることがない。
【発明の効果】
【００２２】
この発明の印刷機用版および印刷機によれば、上記のように、印刷機の版駆動軸に固定状に設けられた版シリンダ部に円筒状の版を簡単にかつ正確に取り付けることができ、また、版シリンダ部から円筒状の版を簡単に取り外すことができる。
【発明を実施するための最良の形態】
【００２３】
以下、図面を参照して、この発明の実施形態について説明する。
【００２４】
図１は印刷機の版駆動軸(1)に取り付けられて版(2)が装着された版装着装置(3)の縦断面図、図２は版装着装置(3)の一部とそれに装着される前の版(2)の一部を拡大して示した縦断面図、図３は図１のIII−III線に沿う断面図（横断面図）、図４は版(2)とその製造工程を示す斜視図、図５は図４の版形成前の状態の一部を拡大して示す側面図である。以下の説明において、図１の上下を上下とし、図１の左側を前、右側を後とし、前から後を見たときの左右を左右とする。
【００２５】
図１において、(4)は上下左右に広がった印刷機の厚板状の機枠、(5)は機枠(4)の後側に設けられた軸受ハウジングである。版駆動軸(1)の前側部分は軸受ハウジング(5)に回転支持され、後側部分は図示しない軸受ハウジングに回転支持されている。軸(1)は公知の駆動手段により所定方向（この例では前から見て時計方向）に所定速度で回転させられる。軸(1)の前端寄りの部分は、機枠(4)に形成された円形穴(6)の内側を通って、機枠(4)より前方に突出しており、穴(6)の内周には軸(1)との間を密閉するオイルシール(7)が設けられている。機枠(4)より前側の軸(1)の前端部に、先細テーパ部(1a)が形成されている。機枠の前面の穴(6)より外側の部分に、前方に突出した短円筒部(8)が穴(6)と同心状に形成されている。
【００２６】
版装着装置(3)は、軸テーパ部(1a)に着脱ができるように固定される。
【００２７】
版装着装置(3)は、軸テーパ部(1a)に固定される版シリンダ部(9)を備えている。版シリンダ部(9)は、軸(1)と同心の外側円筒部(9a)、円筒部(9a)と同心で前側の直径の小さい内側テーパ筒部(9b)、円筒部(9a)とテーパ筒部(9b)の前端部同士を連結する前端壁(9c)および同後端部同士を連結する後端壁(9d)より構成され、これらに囲まれた環状の空間が空気室(10)となっている。版シリンダ部(9)は、テーパ筒部(9b)の内周面が軸テーパ部(1a)の外周面に密着するように軸テーパ部(1a)にはめられ、図示しない適宜な手段により固定されている。版シリンダ部(9)は、磁性あるいは非磁性の適当な金属よりなる。この例では、一般構造用鋼であるＳＳ鋼製である。また、円筒部(9a)、テーパ筒部(9b)および前後端壁(9c)(9d)は、強度上、比較的厚肉に構成されている。
【００２８】
円筒部(9a)の後部は後端壁(9d)より後方にのびて、機枠(4)の短円筒部(8)の外側に張り出している。円筒部(9a)の後端部内周に、短円筒部(8)との間を密閉するオイルシール(11)が設けられ、後端壁(9d)と機枠(4)との間に環状の密閉空間(12)が形成されている。後端壁(9d)に、空気室(10)と密閉空間(12)とを連通する複数の連通穴(13)が形成されている。
【００２９】
空気室(10)に面する円筒部(9a)の前後複数箇所、この例では、前端部と後端寄りの部分の２箇所に、それぞれ、複数の空気流出穴(14)が周方向に等間隔をおいて形成されている。
【００３０】
印刷機の機枠(4)には、圧縮空気源(15)に接続されて、密閉空間(12)に連通する空気通路(16)が形成されている。圧縮空気源(15)、空気通路(16)、密閉空間(12)および連通穴(13)は、空気供給手段を構成する。
【００３１】
図２に詳細に示すように、前側の流出穴(14)より少し後寄りの位置より後側の円筒部(9a)の部分Ａの外径は均一で、部分Ａの前端と流出穴(14)より前寄りの位置との間の部分Ｂの外径は前にいくにつれて徐々に小さくなり、部分Ｂより前側の部分Ｃの外径はさらに前にいくにつれて小さくなっている。この例では、円筒部(9a)の部分Ａの外径は２２０ｍｍで、部分Ａと部分Ｂの前端の外径の差は約０．２ｍｍとなっている。
【００３２】
版(2)は、円筒状をなす。版(2)は、円筒状版本体(17)および版部(18)より構成されている。
【００３３】
版本体(17)は、図４(a)に示すような長方形状の弾性材料製シート(19)の両端部が重ね合わされて接合されることにより、円筒状に形成されている。シート(19)の厚さは、円筒状に形成できて、かつ弾性力により円筒状を保持できる程度であればよい。この例では、約０．２４ｍｍである。版本体(17)の内径は、版シリンダ部(9)の円筒部(9a)の部分Ａの外径よりわずかに小さく、部分Ｂの流出穴(14)のすぐ後の部分の外径とほぼ等しい。版本体(17)は、磁性あるいは非磁性の適当な金属よりなる。この例では、一般構造用鋼であるＳＳ鋼製である。シート(19)の接合手段は任意であるが、この例では、接着剤とスポット溶接が用いられている。
【００３４】
版部(18)は、版本体(17)の接合部分(20)を除く外周の所定箇所に設けられており、版部(18)の外周面が版面となっている。
【００３５】
接合部分(20)の内側に位置するシート(19)の端部が内側に折り曲げられて、係合部(21)が形成されている。図５に破線で示すシート(19)の平坦な状態から実際に係合部(21)が折り曲げられた角度αを折り曲げ角度、係合部(21)と隣接するシート(19)の部分とのなす角度βをシート・係合部間角度という。折り曲げ角度αは９０度より大きい（シート・係合部間角度βは９０度より小さい）のが好ましく、折り曲げ角度αは１２５度〜１４５度（シート・係合部間角度βは５５度〜３５度）がさらに好ましく、折り曲げ角度αは１３５度（シート・係合部間角度βは４５度）が最も好ましい。この例では折り曲げ角度αは約１３５度、シート・係合部間角度βは約４５度である。図３に詳細に示すように、版(2)の接合部分(20)の外側に位置するシート(19)の端部(19a)とシート(19)の中央側の部分との間に段部(22)が形成され、端部(19a)の内径がシート(19)の他の部分の内径より大きくなっている。段部(22)の段差の大きさは、シート(19)の厚さ以下である。
【００３６】
版(2)の製造方法は任意であるが、次に、図４を参照して、その１例について説明する。
【００３７】
まず、図４(a)に示すように、長方形状のシート(19)の一端部に係合部(21)を形成するとともに、他端部に段部(22)を形成し、シート(19)の両端寄りの部分を除く所定の部分に版部(18)を形成する。そして、係合部(21)側のシート(19)の端部の係合部(21)と反対側の面に適当な接着剤(23)を塗布する。次に、図４(b)に示すように、シート(19)を円筒状に形成して、接着剤(23)の外側に反対側のシート(19)の端部(19a)を重ね合わせて接合し、さらに接合部分(20)をスポット溶接により強固に接合する。図４(b)において、(24)はスポット溶接部を示している。版部(28)への版の形成すなわち製版は、図４(a)のシート(19)の状態の版部(18)に対して行ってもよいし、図４(b)の円筒状の版(2)の版部(18)に対して行ってもよい。
【００３８】
図３に示すように、版シリンダ部(9)の円筒部(9a)の外周全長に、版(2)の係合部(21)がはめられる周方向位置決め用みぞ(25)が形成されている。みぞ(25)と円筒部(9a)の外周面のなす角度βは、版(2)の係合部(21)のシート・係合部間角度βと等しい。また、みぞ(25)は、その底部(25a)が開口部(25b)より版シリンダ部(9)の回転方向（図３に→Ｒで示す方向）後側になるように形成されている。
【００３９】
図１に示すように、版シリンダ部(9)の円筒部(9a)後端面の外周部に、円筒部(9a)の外周面より径方向外側に張り出した円環状の軸方向位置決め用ストッパ(26)が固定されている。
【００４０】
版シリンダ部(9)に版(2)を装着するときには、版シリンダ部(9)の空気室(10)に圧縮空気を供給する。空気室(10)に圧縮空気が供給されると、空気は、円筒部(9a)外周面の空気流出穴(14)から外向きに流出する。このような状態で、係合部(21)をみぞ(25)にはめて、版シリンダ部(9)の外周面に円筒状の版(2)をはめていくと、流出穴(14)から流出する空気の圧力により版(2)が径方向に膨張して、版(2)の内径が版シリンダ部(9)の外径より大きくなり、版シリンダ部(9)の外周に簡単に版(2)をはめることができる。版(2)がストッパ(26)に当接して停止したならば、空気室(10)への圧縮空気の供給を停止する。すると、版(2)が収縮し、円筒部(9a)の外周面に密着して、ストッパ(26)に当接した位置に圧入状態に固定される。このとき、版(2)は、版シリンダ部(9)に対し、みぞ(25)によって周方向に、ストッパ(26)によって軸方向に正確に位置決めされる。
【００４１】
印刷時には、上記のように版シリンダ部(9)に版(2)が固定されている状態で、版シリンダ部(9)が回転させられる。このとき、版(2)の係合部(21)の先端側が回転方向Ｒ後側を向くことになり、係合部(21)がみぞ(25)に食い込み、版(2)の位置がずれることがない。
【００４２】
上記のように版シリンダ部(9)の装着されている版(2)を取り外すときには、版シリンダ部(9)の空気室(10)に圧縮空気を供給する。空気室(10)に空気が供給されて流出穴(14)から流出させられると、この空気の圧力により版(2)が径方向に膨張して、版(2)の内径が版シリンダ部(9)の外径より大きくなり、版シリンダ部(9)から版(2)を間単に取り外すことができる。
【００４３】
印刷機、版装着装置(3)および版(2)の全体構成および各部の構成は、上記実施形態のものに限らず、適宜変更可能である。
【図面の簡単な説明】
【００４４】
【図１】図１は、この発明の実施形態を示す印刷機の版装着装置の縦断面図である。
【図２】図２は、版装着装置の一部とそれに装着される前の版(2)の一部を拡大して示した縦断面図である。
【図３】図３は、図１のIII‐III線に沿う断面図である。
【図４】図４は、版とその製造工程を示す斜視図である。
【図５】図５は、図４の版形成前のシートの一部を拡大して示す側面図である。
【符号の説明】
【００４５】
(1)     版駆動軸
(3)     版装着装置
(9)     版シリンダ部
(10)    空気室
(12)    密閉空間
(13)    連通穴
(14)    空気流出穴
(15)    圧縮空気源
(16)    空気通路
(17)    版本体
(18)    版部
(19)    シート
(20)    接合部分
(21)    係合部
(25)    周方向位置決め用みぞ
(26)    軸方向位置決め用ストッパ
【図１】
2009285861.tif 000003
【図２】
2009285861.tif 000004
【図３】
2009285861.tif 000005
【図４】
2009285861.tif 000006
【図５】
2009285861.tif 000007